(57)【要約】【課題】  ＴＯＲＩＣ−ＩＯＬの処方に有用なデータを出力する。【解決手段】  投影光源を有し、角膜形状を測定するための測定指標を被検眼角膜に投影する投影光学系と、撮像素子を有し、前記測定指標による角膜反射像及び前眼部像を撮像する撮像光学系と、を備え、被検者眼の角膜形状を測定する角膜形状測定装置において、被検眼の前眼部を可視光にて照明する可視照明光学系と、被検眼を固視させるための固視標投影光学系と、第２の眼特性を測定するための第２の光源を有し、被検者眼に第２の測定光を投光しその反射光を受光する測定光学系と、前記固視標投影光学系の光及び前記測定光学系の光と、前記可視照明光学系の光と、を波長分離し、該可視照明光学系による前眼部からの反射光を前記撮像素子へと導くダイクロイックミラーと、を備える。【選択図】      図１
2014198277.tif 000002
【特許請求の範囲】
【請求項１】
投影光源を有し、角膜形状を測定するための測定指標を被検眼角膜に投影する投影光学系と、
撮像素子を有し、前記測定指標による角膜反射像及び前眼部像を撮像する撮像光学系と、
を備え、被検者眼の角膜形状を測定する角膜形状測定装置において、
被検眼の前眼部を可視光にて照明する可視照明光学系と、
被検眼を固視させるための固視標投影光学系と、
第２の眼特性を測定するための第２の光源を有し、被検者眼に第２の測定光を投光しその反射光を受光する測定光学系と、
前記固視標投影光学系の光及び前記測定光学系の光と、前記可視照明光学系の光と、を波長分離し、該可視照明光学系による前眼部からの反射光を前記撮像素子へと導くダイクロイックミラーと、
を備えることを特徴とする角膜形状測定装置。
【請求項２】
請求項１の角膜形状測定装置において、
前記可視照明光学系及び前記撮像光学系は、眼内レンズ手術用の角膜マーキングに使用されるインク色に対して補色関係にある波長特性の前眼部反射像が前記撮像素子に受光されるように構成されていることを特徴とする角膜形状測定装置。
【請求項３】
請求項１〜２のいずれかの角膜形状測定装置において、
前記可視照明光学系及び前記撮像光学系は、緑色帯に中心波長を持つ波長特性の前眼部反射像が前記撮像素子に受光されるように構成されていることを特徴とする角膜形状測定装置。
【請求項４】
請求項１〜３のいずれかの角膜形状測定装置において、
被検眼の前眼部を赤外光にて照明する赤外照明光学系と、
被検眼に対するアライメントのために、前記赤外照明光学系により前眼部を赤外光によって照明し、前記撮像素子から出力される画像信号に基づいて赤外前眼部画像を取得する制御手段であって、前記アライメントが行われ、トリガ信号が発せられると、前記可視照明光学系により前眼部を可視光によって照明し、前記撮像素子から出力される画像信号に基づいて可視前眼部像を取得する制御手段と、
前記測定指標による角膜反射像に基づいて被検眼角膜の乱視軸方向を算出する算出手段と、
前記算出手段による算出結果と、前記可視前眼部画像と、に基づいて前記可視前眼部画像に対する乱視軸方向の位置情報を示す前眼部データを作成する画像処理手段と、
前記画像処理手段によって作成された前記前眼部データを出力する出力手段と、
を備えることを特徴とする角膜形状測定装置。
【請求項５】
請求項１〜４のいずれかの角膜形状測定装置において、
前記測定光学系は、測定光と参照光による干渉光を受光して眼軸長を測定する眼軸長測定光学系であることを特徴とする角膜形状測定装置。
【発明の詳細な説明】
【技術分野】
【０００１】
本発明は、被検眼の角膜形状を測定する角膜形状測定装置に関する。
【背景技術】
【０００２】
測定指標を被検眼角膜に投影し、その角膜反射像を撮像することにより被検者眼の角膜形状を測定する角膜形状測定装置が知られている（例えば、特許文献１参照）。このような装置によって得られた角膜形状は、例えば、眼内レンズ（ＩＯＬ）の度数を求める際に用いられる。
【先行技術文献】
【特許文献】
【０００３】
【特許文献１】特開２００３−１６９７７８号公報
【発明の概要】
【発明が解決しようとする課題】
【０００４】
ところで、近年では、眼内レンズの一つとして、乱視矯正に対応したＴＯＲＩＣ−ＩＯＬが現れている。この場合、術者は、角膜形状測定装置を用いて被検眼（手術眼）の乱視軸を予め測定しておき、その後、専用の部材を用いて被検眼の水平軸方向に第一のマーキングをし、さらに、第一のマーキングを基準として、被検眼の乱視軸に対応する位置に第二のマーキングを施し、この第二のマーキングとＩＯＬの軸が合うように眼内レンズを眼内に挿入する。
【０００５】
しかしながら、角膜形状を測定する時とマーキングを施す時とで被検者の体勢が変化し、乱視軸に対応する位置にマーキングを適正に施すことができず、挿入位置がずれてしまう可能性がある。
【０００６】
本発明は、上記問題点を鑑み、ＴＯＲＩＣ−ＩＯＬの処方に有用なデータを出力できる角膜形状測定装置を提供することを技術課題とする。
【課題を解決するための手段】
【０００７】
上記課題を解決するために、本発明は以下のような構成を備えることを特徴とする。
【０００８】
（１） 
投影光源を有し、角膜形状を測定するための測定指標を被検眼角膜に投影する投影光学系と、
撮像素子を有し、前記測定指標による角膜反射像及び前眼部像を撮像する撮像光学系と、
を備え、被検者眼の角膜形状を測定する角膜形状測定装置において、
被検眼の前眼部を可視光にて照明する可視照明光学系と、
被検眼を固視させるための固視標投影光学系と、
第２の眼特性を測定するための第２の光源を有し、被検者眼に第２の測定光を投光しその反射光を受光する測定光学系と、
前記固視標投影光学系の光及び前記測定光学系の光と、前記可視照明光学系の光と、を波長分離し、該可視照明光学系による前眼部からの反射光を前記撮像素子へと導くダイクロイックミラーと、
を備えることを特徴とする。
【発明の効果】
【０００９】
本発明によれば、ＴＯＲＩＣ−ＩＯＬの処方に有用なデータを出力できる。
【発明を実施するための形態】
【００１０】
以下、本発明の実施形態について図面に基づいて説明する。図１は角膜形状測定装置（眼科装置）の光学系について示す概略構成図である。本光学系は、角膜形状測定用の指標を被検眼角膜に投影するケラト投影光学系２０と、被検眼前眼部を可視光にて照明する可視照明光学系８０と、アライメント投影光学系５０と、前眼部正面像を撮像する前眼部正面撮像光学系３０と、固視標投影光学系４０と、第２の眼特性を測定するための第２の光源を有し被検者眼に第２の測定光を投光しその反射光を受光する第２測定光学系６０、被検者眼の前眼部断面像を用いた測定を行う前眼部測定光学系９０と、に大別される。なお、以下の光学系は、図示無き筐体に内蔵されている。また、その筐体は、周知のアライメント移動機構の駆動により、操作部材（例えば、ジョイスティック）を介して被検者眼に対して３次元的に移動される。
【００１１】
投影光学系２０は、測定光軸Ｌ１を中心に配置されたリング状の光源２１を有し、被検眼角膜にリング指標Ｒ２を投影して角膜形状（曲率、乱視軸角度、等）を測定するために用いられる（図２（ａ）参照）。なお、光源２１には、例えば、赤外光または可視光を発するＬＥＤが使用される。なお、投影光学系２０について、光軸Ｌ１を中心とする同一円周上に少なくとも３つ以上の点光源が配置されていればよく、間欠的なリング光源であってもよい。さらに、複数のリング指標を投影するプラチド指標投影光学系であってもよい。
【００１２】
可視照明光学系８０は、光源２１の外側に配置され、測定光軸Ｌ１を中心に配置された４つの緑色光源８１を有する。緑色光源８１は、角膜形状測定用の光源２１とは異なる光源であり、緑色光により前眼部を照明し、青色又は紫色の角膜マーキングＭを含む前眼部像を撮影するために用いられる（図２（ｂ）参照）。
【００１３】
なお、角膜マーキングＭは、乱視矯正用眼内レンズの手術のために白目部分に施されるインクであり、被検眼の水平軸方向に合わせて施された第一の角膜マーキングである。光源８１には、例えば、中心波長がλ＝５２５ｎｍであり、５００ｎｍ〜５５０ｎｍの波長領域の光を発する光源（例えば、緑色ＬＥＤ）が用いられる。なお、これに限るものではなく、白色光源の前に、緑色帯のみを透過する特性を有するフィルタを設けても良い。
【００１４】
アライメント投影光学系５０は、光源２１の内側に配置され、赤外光を発する投影光源５１（例えば、λ＝９７０ｎｍ）を有し、被検者眼角膜にアライメント指標を投影するために用いられる。そして、角膜に投影されたアライメント指標は、被検者眼に対する位置合わせ（例えば、自動アライメント、アライメント検出、手動アライメント、等）に用いられる。本実施形態において、投影光学系５０は、被検者眼角膜に対してリング指標を投影する光学系であって、図２に示すように、被検者眼の角膜上にはリング指標Ｒ１が投影される。なお、リング指標Ｒ１は、マイヤーリングも兼用する。また、投影光学系５０の光源５１は、前眼部を斜め方向から赤外光にて照明する前眼部照明を兼用する。なお、投影光学系５０において、さらに、角膜に平行光を投影する光学系を設け、投影光学系５０による有限光との組合せにより前後のアライメントを行うようにしてもよい。
【００１５】
前眼部正面撮像光学系３０は、ダイクロイックミラー３３、対物レンズ４７、ダイクロイックミラー６２、フィルタ３４、撮像レンズ３７、二次元撮像素子３５、を含み、被検眼の前眼部正面像を撮像するために用いられる。
【００１６】
ここで、前述の投影光学系２０、可視照明光学系８０、投影光学系５０による前眼部反射光は、ビームスプリッタ３３、対物レンズ４７、ダイクロイックミラー６２、フィルタ３４、及び撮像レンズ３７を介して二次元撮像素子３５に結像される。
【００１７】
すなわち、撮像光学系３０は、光源２１からの光が照射された前眼部像を撮影することにより、角膜Ｅｃ上に形成されたリング指標（角膜反射像）Ｒ２を含む前眼部像Ａを撮影できる。また、角膜マーキングＭが前眼部に施されている場合、撮像光学系３０は、緑色光源８１によって照明された前眼部像を撮影することにより、角膜マーキングＭを含む前眼部像Ａを撮影できる。
【００１８】
ダイクロイックミラー（ビームスプリッタ）６２は、投影光学系９０ａの光路と撮像光学系３０の光路を分岐するための光路分岐部材として用いられる（詳しくは、後述する）。フィルタ３４は、光源５１による赤外光と光源８１による緑色光を透過し、他の光を遮断するために用いられる。
【００１９】
投影光学系４０に関し、ダイクロイックミラー４５の反射方向には、固視標投影光学系４０が形成されている。
【００２０】
第２測定光学系６０は、被検者眼に第２の測定光を投光しその反射光を受光する構成を備える第２測定光学ユニット６１と、ダイクロイックミラー４５、ビームスプリッタ３３（例えば、ハーフミラー、ダイクロイックミラー）を含む。
【００２１】
なお、第２測定光学系６０としては、例えば、測定光と参照光による干渉光を受光して眼軸長を測定する眼軸長測定光学系（測定光源の波長は、例えば、λ＝８３０ｎｍ）、被検者眼眼底に投影された反射光を受光して眼屈折力を測定する眼屈折力測定光学系（測定光源の波長は、例えば、λ＝８７０ｎｍ）が考えられる。
【００２２】
前眼部測定光学系９０は、前眼部断面像を形成するためのスリット光を被検者眼Ｅに投影する投影光学系９０ａと、投影光学系９０ａによって投影されたスリット光による前眼部反射光を受光して前眼部断面像を撮像する撮像光学系９０ｂと、を有する。
【００２３】
投影光学系９０ａは、光源９１と、集光レンズ９２と、スリット板９３と、全反射ミラー９４と、ダイクロイックミラー６２、対物レンズ４７と、ダイクロイックミラー３３を含む。
【００２４】
光源９１には、例えば、中心波長が略４７０ｎｍで略４６０〜４９０ｎｍの波長領域の光（青色光）を発する可視光源が使用される。スリット板９３は、前眼部（例えば、角膜頂点付近）と共役な位置に配置され、図１では、水平方向が長手方向であるスリット開口が形成されている。
【００２５】
また、対物レンズ４７は、光源９１からの光を角膜に集光させる。なお、投影光学系９０ａの光軸（投影光軸）は、測定軸Ｌ１と同軸になっている。
【００２６】
撮像光学系９０ｂは、二次元撮像素子９７と、投影光学系９０ａによる前眼部からの反射光を撮像素子９７に導く撮像レンズ９６と、を含み、シャインプルークの原理に基づいて前眼部断面像を撮像する構成となっている。すなわち、撮像光学系９０ｂは、その光軸（撮像光軸）が投影光学系９０ａの光軸と所定の角度で交わるように配置されており、投影光学系９０ａによる投影像の光断面と被検者眼角膜を含むレンズ系（角膜及び撮像レンズ９６）と撮像素子９７の撮像面とがシャインプルーフの関係にて配置されている。なお、レンズ９６の手前（被検者眼Ｅ側）には、光源９１から出射され，前眼部断面像を撮像するために用いられる光（青色光）のみを透過するフィルタ９９が配置されている。
【００２７】
次に、制御系について説明する。制御部７０は、装置全体の制御及び測定結果の算出を行う。制御部７０は、光源９１、光源５１、光源２１、光源８１、撮像素子３５、撮像素子９７、第２測定光学ユニット６１、固視標投影光学系４０、可視照明光学系８０、モニタ７１、メモリ７５、等と接続されている。ここで、撮像素子３５から出力される撮像信号は、制御部７０によって画像処理され、モニタ７１に表示される。また、制御部７０は、撮像素子３５から出力される撮像信号に基づいて被検者眼に対するアライメント状態を検出する。
【００２８】
以上のような構成を備える装置において、その動作について説明する。図２は撮像素子３５によって撮像された前眼部像が表示された前眼部観察画面を示す図である。アライメントの際には、光源５１及び光源２１が点灯される。ここで、検者は、図２（ａ）に示すように、電子的に表示されたレチクルＬＴと、光源５１によるリング指標Ｒ１と、が同心円状になるように上下左右のアライメントを行う。また、検者は、リング指標Ｒ１のピントが合うように、前後のアライメントを行う。なお、リング指標Ｒ１の外側には、光源２１によるリング指標Ｒ２が表示されている。
【００２９】
上記のようにしてアライメントが行われ、所定のトリガ信号が発せられると、制御部７０は、さらに、緑色光源８１を点灯し、撮像素子３５を用いて前眼部像を撮影する。そして、制御部７０は、撮像素子３５から出力される撮像信号に基づいて、リング指標Ｒ１、Ｒ２、角膜マーキングＭを含む前眼部画像を静止画として取得し、メモリ７５に記憶させる（図２（ｂ）参照）。なお、図２（ｂ）における４つの輝点Ｇは、光源８１による角膜輝点像である。なお、上記においては、一連の測定を同時に行ったが、角膜形状測定と、角膜マーキングＭの撮影と、を別タイミングで行っても良い。
【００３０】
そして、制御部７０は、メモリ７５に記憶された前眼部画像におけるリング指標像Ｒ２に基づいて被検眼の角膜形状（例えば、強主経線方向及び弱主経線方向における角膜曲率、角膜の乱視軸角度、等）を算出し、測定結果をメモリ７５に記憶する。なお、角膜乱視眼の場合、指標像Ｒ２が楕円形状となるため、制御部７０は、その長径方向及び短径方向を検出することにより乱視軸角度を求める。
【００３１】
また、制御部７０は、メモリ７５に記憶された前眼部画像における角膜マーキングＭの位置を検出し、その検出結果をメモリ７５に記憶する。より具体的には、制御部７０は、画像処理により、虹彩と白目との境界位置をリング状に検出し、その境界より所定量外側（図２（ｂ）の点線Ｔ参照）における輝度分布を求める。そして、制御部７０は、その輝度分布において、図３に示すように、白目部分での輝度レベルＭａに対して輝度レベルが最も下がった部分（輝度レベルＭｉ）を検出し、これに基づいてマーキングＭの位置Ｃを特定する。これにより、瞳孔中心（又は角膜中心）を対称とする２つの角膜マーキングＭの位置が検出される。
【００３２】
図４は乱視矯正用眼内レンズを被検眼に挿入する際に用いる前眼部データを示す図である。制御部７０は、上記測定結果及び検出結果に基づいて、図４のような前眼部データを作成し、モニタ７１に表示する。
【００３３】
ラインＫ１及びラインＢ１は、メモリ７５に記憶された前眼部画像に対して画像処理により電子的に合成（重ね合わせ処理）されたものである。ラインＫ１は、角膜マーキングＭに対する被検眼角膜の乱視軸方向を示すための指標である。ラインＢ１は、乱視軸方向に角膜マーキングを行うための基準軸を示すための指標であり、角膜マーキングＭに対応する。
【００３４】
制御部７０は、前述のように算出された乱視軸角度に基づいてラインＫ１の表示角度を求め、前眼部画像におけるリング指標Ｒ２の中心を通るようにラインＫ１を合成する。また、制御部７０は、前述のように求められた２つの角膜マーキングＭの位置に基づいて、２つの角膜マーキングＭを結んだ直線（ラインＢ１）を前眼部画像に合成する。
【００３５】
さらに、制御部７０は、乱視軸の算出結果と角膜マーキングＭの検出結果に基づいて、角膜マーキングＭと乱視軸方向との間の角度を算出し、その算出結果を前眼部画像に対して合成してもよい（図４のＲＥ参照）。この角度は、例えば、画像処理において、瞳孔中心を基準としてラインＢ１を回転させていき、ラインＫ１と一致したときの回転角度を基に検出可能である。
【００３６】
上記のようにして画像処理により作成された前眼部データは、メモリ７５に記憶される。制御部７０は、前眼部データをモニタ７１に表示出力する他、プリンタによる印字出力、データ出力、が可能である。そして、図４のような前眼部データに基づく出力データは、被検眼角膜の乱視軸に対応する位置に、第２の角膜マーキングを施す際に利用される。
【００３７】
図４のような前眼部データによれば、術者は、基準軸に施された第１の角膜マーキングＭに対する乱視軸の角度が確認できるため、乱視軸に対応する第２の角膜マーキングを角膜上の適正な位置に施すことができる。よって、乱視矯正用眼内レンズを眼内の適正な位置に容易に置くことができる。
【００３８】
なお、上記構成においては、緑色光源８１を用いて角膜マーキングＭを含む前眼部像を撮像することにより、前述の前眼部データにおける前眼部像と角膜マーキングとのコントラストがはっきりし、角膜マーキングを容易に視認できる。これは、通常、角膜マーキングのインク色が青色又は紫色であり、三原色（赤、青、緑）においてこれらと干渉しない緑色光であれば、インクによる反射がなく、白目とのコントラストが大きくなるからである。なお、紫色は、赤と青との混合色である。発明者らは、他の光でも実験を行ったが、青色光の場合、青色の角膜マーキングの視認性が悪く、赤色光の場合、紫色の角膜マーキングの視認性が悪いことが分かった。
【００３９】
なお、上記説明においては、緑色光にて可視照明するものとしたが、角膜マーキングに使用されるインク色と干渉しにくい波長帯域の光（例えば、中心波長がλ＝５００〜６００の間に中心波長を持つ光）を発する構成であれば、これに限るものではない。すなわち、角膜マーキングに使用されるインク色に対して補色関係にある波長特性の光を発する構成であればよい。また、光源としては、単色性が高い光源の方が好ましい。
なお、上記実施例の前眼部照明光学系８０において、角膜マーキングＭの撮影において、１種類の光源を使用したが、これに限るものではなく、中心波長の異なる２つ以上の光源を設け、角膜マーキングの色と干渉しない光源に切換えるようにしてもよい。
【００４０】
また、上記構成に限るものではなく、可視照明光学系８０及び撮像光学系３０が、角膜マーキングに対して補色関係にある波長特性の前眼部反射光が撮像素子３５に受光されるように構成されていればよい。例えば、可視照明光学系８０に白色光源を設け、緑色光及び赤外光を透過し他の光を吸収する特性のフィルタを撮像光学系３０の光路に設けるようにしてもよい。
【００４１】
また、上記説明においては、検出結果ＲＥを出力したが、これに限るものではなく、角膜マーキングと乱視軸方向との間の角度を判断するための角度情報が前眼部画像と共に表示されればよい。例えば、角膜マーキングＭに対するラインＫ１との角度を確認するための角度目盛（例えば、分度計）が前眼部像に合成表示されるようにしてもよい。この場合、マーキングＭの位置を０度として、目盛を付与するのが好ましい。
【００４２】
なお、上記構成に限るものではなく、制御部７０は、検者によって手動操作される所定のスイッチからの操作信号に基づいて、モニタ７１の画面上におけるラインＫ１を回転可能とし、ラインＫ１と角膜マーキングＭとが合致したときのラインＫ１の回転角度を計測するようにしてもよい。また、制御部７０は、モニタ７１上のラインＢ１を回転可能として、回転角度を計測するようにしてもよい。
【００４３】
以下に、ダイクロイックミラー６２の詳しい構成について説明する。なお、本実施形態では、光源９１に使用される波長と光源８１に使用される波長との波長差が１００ｎｍ以下となっている。例えば、光源９１には、青色光源（中心波長が略４７０ｎｍで略４６０〜４９０ｎｍの波長領域の光）が用いられ、光源８１には、緑色光源（中心波長が略５２５ｎｍで略５００〜５５０ｎｍの波長領域の光）が用いられる。
【００４４】
上記構成において、λ＝５００ｎｍ以下の光を透過し、これ以上の光を反射するコーティングを全面に施したダイクロイックミラーを設計したとしても、波長差が少ない光を完全に分離することは難しく、λ＝５００ｎｍ付近に波長帯域を持つ光源８１の光の大部分（約８０％）が透過されてしまう（図５参照）。このため、角膜マーキングＭを含む前眼部像を好適に撮影できない。
【００４５】
図６は本実施形態に係るダイクロイックミラー６２を正面方向及び横方向から見たときの概略構成図である。ダイクロイックミラー６２は、一枚のガラス基板３０１からなり、互いに異なる波長特性のコーティングが施された第１領域３０３と第２領域３０５が形成されている。
【００４６】
第１領域３０３は基板３０１の中心部にスリット状に形成され、第２領域３０５は第１領域３０３を除く基板３０１の周辺部に形成されている。そして、第１領域３０３は、光源９１の出射光を眼Ｅに向けて透過させるために用いられる。一方、第２領域３０５は、光源２１、光源５１、及び光源８１による前眼部反射光を撮像素子３５に向けて反射させるために用いられる。
【００４７】
なお、第１領域３０３は、投影光学系９０ａによるスリット光がダイクロイックミラー６２を通過するときのスリット幅に対応し、同程度の大きさに形成されている。
【００４８】
図７は第１領域３０３の波長特性の例を示す図である。第１領域３０３のコーティングは、青色光源９１に使用されるλ＝４６０〜４９０ｎｍの光を約１００％透過するが、青色光と波長差が少ない光（λ＝４７０±１２５ｎｍ）に対しても透過特性を持つ。よって、緑色光源８１に使用されるλ＝５００〜５５０ｎｍの光の大部分が透過され、一部が反射される。なお、光源５１に使用される赤外光は、約１００％反射される。
【００４９】
図８は第２領域３０５の波長特性の例を示す図である。第２領域３０５のコーティングは、緑色光源８１に使用されるλ＝５００ｎｍ〜５５０ｎｍの光を約８０％反射し、光源５１等に使用される赤外光を約１００％反射する。この場合、緑色光と波長差が少ない光（λ＝５２５±１２５ｎｍ）に対しても反射特性を持つ。よって、青色光源９１による前眼部反射光の大部分が反射され、一部が透過される。なお、光源５１等に使用される赤外光は、約１００％反射される。
【００５０】
上記構成において、第１領域３０３は、緑色光源８１による反射光の多くを透過してしまうが、反射光の一部にすぎず、その大部分は第２領域３０５によって反射され撮像素子３５に受光されるので、角膜マーキングＭを含む前眼部像を良好に撮影できる。
【００５１】
一方、第２領域３０５は、青色光源９１からの光をほとんど透過しないが、スリット板９３からのスリット光の通過領域は、第１領域３０３の同じぐらいの大きさであるため、ほとんど影響ない。
【００５２】
図９はフィルタ３４の波長特性の例を示す図である。フィルタ３４のコーティングは、緑色光源８１に使用されるλ＝５００ｎｍ〜５５０ｎｍの光と光源５１等に使用される赤外光を透過する。
【００５３】
なお、赤外帯域に対して緑色帯域の透過率をかなり小さくした（数値的に表せるか）のは、撮像素子３５の感度特性の違いに加えて、可視外乱光（例えば、蛍光灯）の遮断に対応するためである。なお、緑色帯域の透過率が小さくしたため、緑色光源８１の出力を大きくするのが好ましい。
【００５４】
また、フィルタ３４は、青色光に対して透過特性を持つが、前眼部断面像の撮影と、角膜曲率測定及び角膜マーキング撮影と干渉しないので、特に問題ない。
【００５５】
上記のようにすれば、互いに波長特性の異なる有効エリアを設けることにより、波長差が少ない光を効果的に分岐・結合させることができる。よって、前眼部断面像の撮影と、角膜マーキングＭを含む前眼部撮影と、の両方を好適に行うことができる。
【００５６】
なお、以上の説明においては、ガラス基板３０１に対してダイクロイックミラーコーティングを行うものとしたが、これに限るものではない。例えば、第１領域３０３には表面反射防止用のコーティングのみを施し、全ての光を透過させるようにしてもよい。また、第２領域３０５には全反射のミラーコーティングを施し、全ての光を透過させるようにしてもよい。この場合、広範囲の波長帯域に対応した可視外乱光除去用コーティングをフィルタ３４に行う必要がある。
【００５７】
なお、上記構成においては、コート基板として一枚のガラス板を用いたが、これに限るものではなく、プリズムにコーティング処理を施すようにしてもよい。
【００５８】
なお、図１０に示すように、フィルタ３４において、角膜マーキング撮影用のフィルタ３４Ｇと、アライメント及びケラト指標撮影用のフィルタ３４Ｒと、が切換配置されるような構成であってもよい。
【００５９】
上記構成を備える装置において、撮影光学系３０を用いた測定について簡単に説明する。前眼部正面撮像光学系３０を用いた被検者眼に対する測定光軸Ｌ１とのアライメントが行われ、前眼部断面撮影を行うためのトリガ信号が発せられると、制御部７０は、光源９１を点灯する。そして、光源９１からの光は、集光レンズ９２によって集光され、スリット９３を通過してスリット光となる。そのスリット光は、ダイクロイックミラー９４で反射され、ダイクロイックミラー６２を透過し、対物レンズ４７によって略平行光束とされ、ビームスプリッタ３３で反射され、前眼部上で集光される。前眼部上に形成されたスリット断面像は、フィルタ９９とレンズ９６とを介して、撮像素子９７によって撮像される。そして、制御部７０は、撮像素子９７によって取得された断面像データを解析し、前眼部の眼特性（角膜厚、前房深度）を算出する。そして、前眼部断面像と測定結果がモニタ７１上に表示される。
【００６０】
なお、上記構成においては、被検者眼にスリット光を投影する投影光学系の光路と、被検眼の前眼部正面像を撮像する撮像光学系の光路と、を分岐するために光路分岐部材について示したが、他の光学系においても、適用可能である。
【００６１】
すなわち、第１の眼特性を検査するための第１の光束を投受光する第１光学系と、第１の眼特性とは異なる第２の眼特性を検査する又は被検眼像を観察するための第２の光束を投受光する第２光学系と、を備え、被検眼を検査する眼科装置に適用できる。この場合、第１の光束と第２の光束のうち、いずれか一方の光束の透過に用いる第１領域と，第１領域とは異なる特性を持ち他方の光束の反射に用いる第２領域とが互いに異なる位置に形成され、第１光束と第２光束を透過及び反射により分岐する光路分岐部材を用いて第１光学系と第２光学系の光路が分岐される。
【００６２】
また、上記実施形態においては、青色光と緑色光を透過し、赤外光を反射する波長特性のダイクロイックミラーコーティングによって形成された第１領域３０３をダイクロイックミラー６２に設けたが、これに限るものではない。すなわち、少なくとも一方の光束の大部分と他方の光束の大部分を透過し、他の光を反射する波長特性のダイクロイックミラーコーティングによって形成された第１領域、少なくとも他方の光束の大部分と一方の光束の大部分を反射し、他の光を透過する波長特性のダイクロイックミラーコーティングによって形成された前記第２領域、の少なくともどちらか一方を有するものであればよい。
【図面の簡単な説明】
【００６３】
【図１】本装置における光学系及び制御系の概略構成図である。
【図２】撮像された前眼部像が表示された前眼部観察画面を示す図である。
【図３】被検眼画像における輝度分布を示した図である。
【図４】乱視矯正眼内レンズ挿入の際に用いる前眼部画像とそのデータを示した図である。
【図５】λ＝５００ｎｍ以下の光を透過し、これ以上の光を反射するコーティングを全面に施したダイクロイックミラーの例である。
【図６】本実施例に係るダイクロイックミラーを正面方向及び横方向から見たときの概略構成図である。
【図７】第１領域の波長特性の例を示す図である。
【図８】第２領域の波長特性の例を示す図である。
【図９】フィルタの波長特性の例を示す図である。
【図１０】角膜マーキング撮影用フィルタとアライメント及びケラト指標撮影用のフィルタとの配置切換における構成を示した図である。
【符号の説明】
【００６４】
２０  ケラト投影光学系
３０  前眼部正面撮像光学系
３４  フィルタ
３５  撮像素子
４０  固視標投影光学系
５０  アライメント投影光学系
６０  第２測定光学系
６２  ダイクロイックミラー
７０  制御部
７１  モニタ
７５  メモリ
８０  可視照明光学系
８１  緑色光源
９０  前眼部測定光学系
９０ａ  投影光学系
９０ｂ  撮像光学系
３０３  第１領域
３０５  第２領域
【図１】
2014198277.tif 000003
【図２】
2014198277.tif 000004
【図３】
2014198277.tif 000005
【図４】
2014198277.tif 000006
【図５】
2014198277.tif 000007
【図６】
2014198277.tif 000008
【図７】
2014198277.tif 000009
【図８】
2014198277.tif 000010
【図９】
2014198277.tif 000011
【図１０】
2014198277.tif 000012